(57)【要約】【課題】検知される信号歪みを小さくして信号の回復を高める埋込み可能な電極システムを提供する。【解決手段】生きている生物学的物質に接触する、埋込み可能電極および電極システムは、であって、電極／組織の境界面において生きている生物学的物質に接触するようになっている少なくとも電極の一部分を含む電極組立品備えている。電極組立品の電極の一部分は、ほぼ電子または電子の空位の伝導に限定された導電を呈する。埋込み可能電極は、電極を導体の遠位端に結合すること、および、電極の少なくとも１つの表面を、少なくとも１つの表面が生物に接触しているときにほぼ電子または電子の空位の伝導にほぼ限定された方法で電気を伝導する材料で形成することによって製造される。【選択図】図５
2005505356.tif 000002
【特許請求の範囲】
【請求項１】
生きている生物学的物質に接触する、埋込み可能な電極システムであって、
電極／組織の境界面において前記生きている生物学的物質に接触するようになっている少なくとも第１の部分を含む電極組立品であって、該電極組立品の前記第１の部分は、ほぼ電子または電子の空位の伝導に限定された伝導作用を呈する、電極組立品を備える電極システム。
【請求項２】
前記第１の部分は、半導体特性を呈する材料で形成されている請求項１に記載の電極システム。
【請求項３】
前記第１の部分は、ポリチオフェン、誘導体化ポリチオフェン、および各種の共役ポリマーからなる群から選択される材料で形成されている請求項２に記載の電極システム。
【請求項４】
前記第１の部分は、不純物を注入されてｐ型半導体を形成する材料を含む請求項２に記載の電極システム。
【請求項５】
前記第１の部分は、前記不純物を注入される材料の近傍に少なくとも１つの表面を有する金の部分を含む請求項４に記載の電極システム。
【請求項６】
前記不純物を注入される材料は、電気化学的重合によって不純物を注入されてｐ型半導体を形成する請求項２に記載の電極システム。
【請求項７】
前記電気化学的重合は、３，４−エチレンジオキシチオフェンと対イオンとの混合物を用いて陽極定電圧パルシング（pulsation）を行うことを含む請求項６に記載の電極システム。
【請求項８】
前記第１の部分は、非導電材料の層で形成される請求項１に記載の電極システム。
【請求項９】
前記非導電材料の層は、チオール基を有するなんらかの有機化学種の、自己集合単分子膜（ＳＡＭ）である請求項８に記載の電極システム。
【請求項１０】
前記非導電材料の層は、ｎ−アルキルチオールの、自己集合単分子膜（ＳＡＭ）である請求項９に記載の電極システム。
【請求項１１】
前記電極組立品は、微小電極組立品または超微小電極組立品である請求項２または８に記載の電極システム。
【請求項１２】
導体と、
該導体に結合し、生きている生物学的物質に接触するようになっており、該生きている生物学的物質に接触しているときには半導体特性を示す少なくとも１つの部分を有する、電極組立品と、
を備える埋込み可能電極。
【請求項１３】
前記少なくとも１つの部分は、前記生きている生物学的物質に接触した状態で単に電極または正孔の伝導によって伝導作用を行う請求項１２に記載の電極。
【請求項１４】
前記少なくとも１つの部分は、ポリチオフェン、誘導体化ポリチオフェン、および各種の共役ポリマーからなる群から選択される材料で形成されている請求項１３に記載の電極。
【請求項１５】
前記少なくとも１つの部分は、不純物を注入されてｐ型半導体を形成する不純物を注入される材料を含む請求項１３に記載の電極。
【請求項１６】
前記第１の部分は、前記不純物を注入される材料の近傍に少なくとも１つの表面を有する金の部分を含む請求項１５に記載の電極。
【請求項１７】
前記不純物を注入される材料は、電気化学的重合によって不純物を注入されてｐ型半導体を形成する請求項１６に記載の電極。
【請求項１８】
前記電気化学的重合は、３，４−エチレンジオキシチオフェンと対イオンとの混合物を用いて陽極定電圧パルシング（pulsation）を行うことを含む請求項１７に記載の電極。
【請求項１９】
生物（living matter）に接触するようになっている埋込み可能電極の製造方法であって、
電極を導体の遠位端に結合する段階と、
前記電極の少なくとも１つの表面を、該少なくとも１つの表面が前記生物に接触しているときに電子の伝導と電子の空位の伝導のうちの一方にほぼ限定された方法で電気を伝導する材料で形成する段階と
を含む埋込み可能電極の製造方法。
【請求項２０】
生物に接触するようになっている埋込み可能電極の製造方法であって、
電極を導体の遠位端に結合する段階と、
前記電極を、該電極が前記生物に接触しているときに電子の伝導または電子の空位の伝導にほぼ限定された方法で電気を伝導するよう構成する段階と、
を含む埋込み可能電極の製造方法。
【発明の詳細な説明】
【技術分野】
【０００１】
本発明は、生体に埋込み可能な電極および電極システムに関する。
【背景技術】
【０００２】
医療技術分野において、埋込み可能電極を使用することは昔から知られている。電極は例えば、心臓組織に、ペーシング（pacing）、カーディオバージョン、およびディフィブリレーションの用途のために、電気刺激を与えるのに用いられる。埋込み式電極はまた、神経組織を刺激して心臓の活動を調整し、またその他の心臓血管疾患の処置を行うのにも用いられる。より最近には、埋込み式電極を用いて、失禁、胃腸の不調、および神経学的疾患の処置が行われている。他のタイプの疾患および生理学的疾患も、同様の電気刺激を用いて処置が行われる。
【０００３】
埋込み式電極を用いて生きている生物学的組織に電気刺激を送出することに関連する問題の１つは、電極／組織の境界面における二重層での電荷の蓄積を含む。すなわち、組織等の生体物質（biological material）に接触して電極が配置されると、電極の導電表面に電子の層が蓄積する。これに応答して、その電極表面近くの生体物質内に、対応する正に帯電したイオンの層が蓄積する。この、分子レベルでの二重層の電荷によって、等価回路にキャパシタンスが持ち込まれる。容量性インピーダンスと呼ばれることもある、このキャパシタンスは、通常の平行板コンデンサと同様の影響を及ぼして、電極を経由して記録される信号を歪ませる高域フィルタとして働く。このインピーダンスは、高周波信号には最低限の影響しか及ぼさないが、より低い周波数においては、著しい非線形減衰を引き起こす。さらに、このキャパシタンスによって、周波数とともに変化する位相ずれが持ち込まれる。生理的信号には、１００Ｈｚ以下の周波数成分が含まれるため、生体信号記録は著しく影響を受ける。前述の例は、電極／組織の境界面で起こる減衰を示すのに平行板コンデンサを利用しているが、この例えは完全に正確だというわけではない。通常の平行板コンデンサに関連する容量性インピーダンスＺは、信号周波数に反比例する。この関係は、次式で表すことができる。
【０００４】
｜Ｚ｜＝１／（ωＣ）
ただし、ωは、式□ω＝２πｆ による信号周波数ｆに関する角周波数である。Ｃは、キャパシタンスと呼ばれる定数であり、幾何学的形状、材料構成、および所与のコンデンサの両端に現れる電位差によって決まる値を有する。
【０００５】
平行板コンデンサと比較対照して、電極／組織の境界面における容量性インピーダンスは、信号周波数の平方根に反比例する。これは、次式で表すことができる。
｜Ｚ｜＝ｋ（１／πω）
ただし、ｋは定数であり、ωは信号の角周波数である。この関係は、組織／電極の境界面において起こるイオン拡散のために、平行板コンデンサに関して上述したものと異なる。言い換えれば、電極／組織の境界面における一方の側から他方の側までの信号の伝達には、電極を取り囲む組織内でのイオンの移動が伴う。電子ｅ−および電子の空位ｈ＋の移動によって平行板コンデンサの一方の側から他方の側まで伝達される信号とは対照的に、このイオン移動はより低速で起こり、その結果、インピーダンスがより大きくなる。
【０００６】
埋込み可能な電極システムによって現在用いられている材料はすべて、上述のような容量性要素を有する。例えば、すべての貴金属電極および薄いパッシベーション膜のコーティングを有するすべての金属電極は、イオン拡散に関連するタイプのインピーダンスを呈する。そのような材料の一部をリストしたものには、プラチナ（Ｐｔ）、プラチナ−イリジウム合金（Ｐｔ−Ｉｒ）、プラチナめっきした（platinized）プラチナ、金（Ａｕ）、チタン（Ｔｉ）、窒化チタン（非化学量的な侵入型の（nonstoichiometric interstitial）チタンの窒化物、ＴｉＮｘ、ただしｘは０．８から１．１５まで変化する）、ステンレス鋼、銀−塩化銀（Ａｇ｜ＡｇＣｌまたはＡｇ／ＡｇＣｌ）、酸化イリジウム、すべての組成および成分の金属合金、ならびに炭素、ガラス状炭素（glassy carbon）、およびガラス質炭素（vitreous carbon）が含まれる。
【０００７】
従来の平行板コンデンサにおいて、容量性インピーダンスは、コンデンサの表面積を大きくすることによって小さくすることができる。このように表面積を大きくすると、それに比例して定数Ｃの値が大きくなり、より大きな表面積については、インピーダンス｜Ｚ｜がゼロまで小さくなるようになっている。同じように、電極表面を大きくすることによって定数ｋが小さくなり、電極／組織の境界面におけるインピーダンス｜Ｚ｜が小さくなる。電極の面積を大きくするとインピーダンスを小さくすることができるが、信号歪みは完全に回避されるわけではない。さらに、このように電極の表面積を大きくすることは、いくつかの理由から望ましくない場合がある。例えば、表面積を大きくすると、電流密度が下がることになり、それによって、ペーシングしきいレベル等の刺激パラメータを上げることが必要になり、それが今度は電池の寿命に悪影響を与える可能性がある。さらに、電極組立品を大きくすると、ターゲットの目的個所に送出するのがより困難になる可能性がある。
【０００８】
前述の説明は、電極／組織の境界面における容量性インピーダンスに関連する問題に対処する。容量性インピーダンスに加えて、他のタイプのガルヴァーニ（Galvanic）およびファラデー（Faradaic）のインピーダンスも、埋込み式電極が測定する生物学的信号の歪みを引き起こす可能性がある。例えば、電極表面と周囲の化学種との間に、電極の機能に本来備わっているものではない酸化還元反応が起こるかもしれない。増幅器、ダイオード、およびその他の非線形減衰を行う回路要素によってモデル化することができるこのような反応は、予測できない時間依存の負のインピーダンスを持ち込むことによって、記録される信号の歪みを大きくする。
【０００９】
したがって、信号歪みを小さくして信号の回復を高める埋込み可能な電極システムが、必要とされている。理想的には、得られる電極／組織の境界面は、生理的周波数において抵抗性である。
【発明を実施するための最良の形態】
【００１０】
本発明は、検知する生理的信号の歪みを小さくする、改良した電極システムに関する。この改良したシステムは、新規なHaibleiterクラスの電極の使用を伴い、従来技術のシステムの電極と比較して、いくつかの基本的な特性において異なる。すなわち、改良したシステム内では、電極／組織の境界面における導電は、溶液相のイオンの移動ではなく、電子ｅ−または電子の空位ｈ＋の移動を特徴とする。したがって、システムは、拡散速度論（diffusional kinetics）を実証する（demonstrate）のではなく、インピーダンスの大きさは信号周波数の平方根に反比例しない。１００Ｈｚ以下という生理的周波数範囲内の伝達関数は、ほぼ一定であるか、数学的に単純であるかのどちらかであり、源信号の即時の記録または容易な回復が可能である。さらに、位相ずれは、この周波数範囲にわたってほぼ一定である。
【００１１】
本発明の一実施形態において、電極／組織の境界面は、１００Ｈｚ以下の周波数成分を有する信号について、ほぼ抵抗性である。この境界面は、半導体特性を有する材料で形成された電極を設けることによって実現され、電子および正孔の移動によって電気が伝導されるようになっている。このような特性のために、電極表面において電子の層が蓄積することはない。同様に、電極を取り囲む組織またはその他の生物学的物質内に、対応する正に帯電したイオンの層が蓄積することはない。その結果、容量性インピーダンスの影響はほぼ存在せず、いかなる残留する信号減衰も、生理的周波数帯域においてほぼ一定である。さらに、境界面は生物学的に安定しており、それによってガルヴァーニおよびファラデーのインピーダンスが除去される。
【００１２】
この目的のために、半導体特性を呈するいかなる材料を用いてもよいが、本実施形態は、有機導電性ポリマー電極の説明とともに示す。一実施形態において、導電性材料をコーティングするのに、硫黄を含むいかなる有機化合物を用いてもよい。例示的一実施形態によれば、電気化学的サイクリングによって、金のワイヤを作成し洗浄してもよい。または、プラチナのワイヤを洗浄し金めっきしてもよい。次にこのワイヤに、電気化学的重合によって不純物を注入して、ｐ型半導体を形成する。３，４−エチレンジオキシチオフェン（ケミカル・アブストラクト登録番号１２６２１３−５０−１、バイエル社（Bayer）から市販）と対イオンとの混合物を用いて、陽極定電圧パルシング（Anodic potentiostatic pulsing）を行ってもよい。ワイヤ上に不透明の膜が作成され、この膜は、ニコン社の解剖顕微鏡等の拡大装置の下で検査して、著しい欠陥がないことを保証してもよい。結果として生じる、膜でコーティングしたワイヤは、半導体ポリマー膜電極の役割を果たすことができる。
【００１３】
上述の半導体電極で行った試験において、心臓を、改良したTyrode溶液等の、酸素を添加し緩衝液で処理した生理的食塩水にさらし、逆行性灌流を行った。Ａｇ｜ＡｇＣｌの基準電極、プラチナの対向電極、および例示的半導体電極を用いて、３電極の定電圧構成を確立した。それぞれの電極は、その表面が完全に心筋にまたは非導電性の空気にさらされるような方法で、心臓壁内に配置した。これは、Dr. Marc Ovadiaが、その出版物掲載著作（published work）である、参照によりその全体が本明細書に援用される、Schoenfisch MH, Pemberton JE, Ovadia M, Levy M: Electroanalysis l997; 9: 135-140およびOvadia M, Zavitz DH. Electroanalysis 1998, 10: 262-272において説明している、いわゆるLevyタイプ３の挿入方法である。
【００１４】
電極挿入の完了後、所定のバイアス電圧を選択し、印加したまたは本来備わっている生物学的信号を記録した。一例において、E.G.&G.社のポテンシオスタット／ガルヴァノスタットおよび周波数応答分析器を用いて、印加正弦波信号を記録し評価した。
【００１５】
図１は、上述の半導体電極についての、周波数の関数としての複素インピーダンスを示すグラフである。これを用いて、生きている灌流を行っている心臓内の半導体電極についての減衰および位相ずれを計算した。
【００１６】
図２は、上述の半導体電極を用いた、生きている心臓における印加正弦波信号についての、位相ずれを示すグラフである。生理的信号を含む周波数範囲にわたって常に、位相ずれは最小限である。これは、電極内の、ｐｎ接合のキャパシタンスと同様の電荷分離、即ち金属／半導体の境界面のためであると考えることができる。
【００１７】
図３は、制御電極についての、周波数の関数としての複素インピーダンスを示すグラフである。上述のように、制御金属電極は、貴金属Ａｕで形成されている。生理的周波数範囲にわたって、減衰に急激な変化（特異（differential）減衰）がある。ここで示す挙動は、既存技術について一番うまくいった場合のシナリオであり、酸化還元反応を混乱させることがない電位において、定電圧で記録されたものである。これは一番うまくいった場合のシナリオであるという事実にも関わらず、この挙動は非常に不十分なものであり、源信号は非常に歪んでいて回復不可能である。
【００１８】
図４は、半導体電極についての、複素インピーダンスの大きさおよび位相を示すグラフである。複素インピーダンスの抵抗性成分を実（Ｘ）軸上に表し、容量性インピーダンスを虚（Ｙ）軸上に表す。中実のデータポイントは、０．５〜１００Ｈｚの生理的周波数範囲にわたる信号周波数を用いて実験的に得られたものである。複素インピーダンスの容量性インピーダンス成分が、比較的小さいとともにほぼ一定であるのがわかる。これは、生理的信号範囲内では電極／組織の境界面においてほぼイオン拡散が起こっていない、ということを示す。
【００１９】
図４はまた、「中空（open）」のデータポイントも含む。このようなデータポイントは、図５の回路モデルを用いて導き出したものである。このような導き出したデータポイントは、実験的に得られたインピーダンスの測定値と密接に対応している。
【００２０】
図５は、半導体電極の等価回路を示す回路図である。上述のように、本モデルの妥当性は、図４の導き出したデータポイントと実験に基づくデータポイントとの密接な対応によって実証される。当業者であれば理解できるように、回路の端子から端子まで低周波信号が印加されると、インピーダンスが、抵抗器Ｒｂ、Ｒ１、およびＲ２の合計で構成された抵抗に近づき、したがって、生理的信号範囲における容量性インピーダンス成分が最小になることが示されている。
【００２１】
［他の実施形態］
前述の説明は、不純物を注入してｐ型半導体を形成する金の電極を説明しているが、電極／組織の境界面において実証できる電子または電子の空位の伝導がある材料で形成されたいかなる電極を、本発明において利用してもよい。これは、すべての現在既知の、またはまだ開発されていない作製方法を用いて形成される、すべての種類のほとんどすべての半導体電極を含む。すなわち、いかなる好適な作製技法を用いて形成されるいかなる固体および薄膜のｎ型およびｐ型の半導体も、本発明において用いてもよい。これは例えば、金属、半金属、または絶縁体のレベルまで導電性を向上または低下させる不純物注入またはその他の作製態様を用いて作製されるものを含む、ポリチオフェン、誘導体化（derivatized）ポリチオフェン、ポリＮメチルピロール、ポリ３メチルチオフェン、ポリアニリン、および各種の共役ポリマー（conjugated polymer classes）でできたすべての半導体電極を包含する。前述の一般論の例外として既知の半導体材料のひとつは、混合した電荷担体材料Ａｇ｜ＡｇＣｌである。この材料は、生体システムにおいて実証できない既知の半導体特性を有しているので、この用途において用いるには好適でない。
【００２２】
上記説明は、半導体特性を呈する材料で形成された電極の使用に焦点を当てているが、本発明はさらに、生理的信号範囲内でイオン電導を除去する、他のタイプの電極を含む。例えば、金等の導電性材料を、ほぼなんらかの非導電性材料である非常に薄い層でコーティングすることによって、電極を形成することが可能である。この、非導電性材料の薄い層は、深さが分子１つ分でありさえすればよい。一実施形態において、この非導電性材料は、ｎ−アルキルチオール等のチオール基を有するなんらかの有機化学種の、自己集合単分子膜（ＳＡＭ）である。ＳＡＭは、金の導電素子等、生体適合性を有するいかなる導電材料上に形成してもよい。この非導電層が欠陥を含んでいない限り、電極／組織の境界面においてイオン電導が防止される。
【００２３】
外面において非導電性材料の薄いコーティングを有する電極のインピーダンスは、平行板コンデンサのインピーダンスと同様である。すなわち、インピーダンスは信号周波数に反比例する。上述のように、これは、信号周波数の平方根に反比例するイオン電導に関連するインピーダンスとは対照的である。この、他の実施形態は、より低い周波数において抵抗性の特性を呈する半導体電極を含む前述の実施形態ほど望ましくはないが、それでもやはり、従来技術の電極システムよりも優れた改良である。この、他の実施形態は、電極の全体の上での電子または電子の空位の伝導を伴う特性を与えるよう設計された物質の薄いまたは厚い膜によって覆うことができるなんらかの材料で形成されたすべての電極を含む。これには、容量性または絶縁性の電極が含まれていてもよい。
【００２４】
上述の実施形態のいずれも、生物学的信号に関連する定電圧、電圧、または電流の測定用途において用いるのに好適である、ということが留意されよう。さらに、前述の電極システムのいずれも、パッチクランプ、微小電極、または超微小電極のシステムを形成するよう変形することができる、ということが注意されよう。従来ガラスまたは石英（quartz）のマイクロピペットを用いて形成されてきたそのようなシステムは、細胞レベルの信号の記録が可能な大きさになっている。このようなタイプの電極は、生物物理学的記録または微小電気化学的測定の用途において用いるのに好適である。そのような用途は、生物系における、微小電極または超微小電極での、全細胞細胞内（whole-cell-intracellular）記録を行う、またはルーチンの微小電極細胞内記録を行う電流滴定およびボルタンメトリーを含む。すなわち、本発明は、通常Ａｇ｜ＡｇＣｌ電極を用いているすべての用途において用いるのに好適である。
【００２５】
本発明の特定の実施形態を示し説明したが、変形を行ってもよい。したがって、添付の特許請求の範囲において、本発明の真の精神および範囲内にあるそのような変更および変形をすべて包含するよう意図される。
【図面の簡単な説明】
【００２６】
【図１】例示的半導体電極についての、周波数の関数としての複素インピーダンスを示すグラフである。
【図２】例示的半導体電極を用いた、生きている心臓における印加正弦波信号についての、位相ずれを示すグラフである。
【図３】Ａｕの貴金属電極についての、周波数の関数としての複素インピーダンスを示すグラフである。
【図４】例示的半導体電極についての、複素インピーダンスの大きさおよび位相を示すグラフである。
【図５】半導体電極の等価回路を示す回路図である。
【図１】
2005505356.tif 000003
【図２】
2005505356.tif 000004
【図３】
2005505356.tif 000005
【図４】
2005505356.tif 000006
【図５】
2005505356.tif 000007
【国際公開パンフレット】
2005505356.tif 000008
2005505356.tif 000009
2005505356.tif 000010
2005505356.tif 000011
2005505356.tif 000012
2005505356.tif 000013
2005505356.tif 000014
2005505356.tif 000015
2005505356.tif 000016
2005505356.tif 000017
2005505356.tif 000018
2005505356.tif 000019
2005505356.tif 000020
2005505356.tif 000021
2005505356.tif 000022
2005505356.tif 000023
2005505356.tif 000024
【国際公開パンフレット（コレクトバージョン）】
2005505356.tif 000025
【国際公開パンフレット（コレクトバージョン）】
2005505356.tif 000026
【手続補正書】
【提出日】平成15年6月3日(2003.6.3)
【手続補正１】
【補正対象書類名】特許請求の範囲
【補正対象項目名】全文
【補正方法】変更
【補正の内容】
【特許請求の範囲】
【請求項１】
生きている生物学的物質に接触する、埋込み可能な電極システムにおいて、
電極／組織の境界面において前記生きている生物学的物質に接触するようになっている少なくとも第１の部分を含む電極組立品であって、該電極組立品の前記第１の部分は、ほぼ電子または電子の空位の伝導に限定された伝導作用を呈する、電極組立品を備えること、
を特徴とする埋込み可能な電極システム。
【請求項２】
前記第１の部分は、半導体特性を呈する材料で形成されていることを特徴とする請求項１に記載の電極システム。
【請求項３】
前記第１の部分は、ポリチオフェン、誘導体化ポリチオフェン、および各種の共役ポリマーからなる群から選択される材料で形成されていることを特徴とする請求項２に記載の電極システム。
【請求項４】
前記第１の部分は、不純物を注入されてｐ型半導体を形成する材料を含むことを特徴とする請求項２に記載の電極システム。
【請求項５】
前記第１の部分は、前記不純物を注入される材料の近傍に少なくとも１つの表面を有する金の部分を含むことを特徴とする請求項４に記載の電極システム。
【請求項６】
前記不純物を注入される材料は、電気化学的重合によって不純物を注入されてｐ型半導体を形成することを特徴とする請求項２に記載の電極システム。
【請求項７】
前記電気化学的重合は、３，４−エチレンジオキシチオフェンと対イオンとの混合物を用いて陽極定電圧パルシングを行うことを含むことを特徴とする請求項６に記載の電極システム。
【請求項８】
前記第１の部分は、非導電材料の層で形成されることを特徴とする請求項１に記載の電極システム。
【請求項９】
前記非導電材料の層は、チオール基を有するなんらかの有機化学種の、自己集合単分子膜（ＳＡＭ）であることを特徴とする請求項８に記載の電極システム。
【請求項１０】
前記非導電材料の層は、ｎ−アルキルチオールの、自己集合単分子膜（ＳＡＭ）であることを特徴とする請求項９に記載の電極システム。
【請求項１１】
前記電極組立品は、微小電極組立品または超微小電極組立品であることを特徴とする請求項２または８に記載の電極システム。
【請求項１２】
導体と、
該導体に結合し、生きている生物学的物質に接触するようになっており該生きている生物学的物質に接触しているときには半導体特性を示す少なくとも１つの部分を有する、電極組立品と、
を備えることを特徴とする埋込み可能電極。
【請求項１３】
前記少なくとも１つの部分は、前記生きている生物学的物質に接触した状態で単に電極または正孔の伝導によって伝導作用を行うことを特徴とする請求項１２に記載の電極。
【請求項１４】
前記第１の部分は、ポリチオフェン、誘導体化ポリチオフェン、および各種の共役ポリマーからなる群から選択される材料で形成されていることを特徴とする請求項１３に記載の電極。
【請求項１５】
前記少なくとも１つの部分は、不純物を注入されてｐ型半導体を形成する材料を含むことを特徴とする請求項１３に記載の電極。
【請求項１６】
前記少なくとも１つの部分は、前記不純物を注入される材料の近傍に少なくとも１つの表面を有する金の部分を含むことを特徴とする請求項１５に記載の電極システム。
【請求項１７】
前記不純物を注入される材料は、電気化学的重合によって不純物を注入されてｐ型半導体を形成することを特徴とする請求項１６に記載の電極システム。
【請求項１８】
前記電気化学的重合は、３，４−エチレンジオキシチオフェンと対イオンとの混合物を用いて陽極定電圧パルシングを行うことを含むことを特徴とする請求項１７に記載の電極システム。
【請求項１９】
生きている物質に接触するようになっている埋込み可能電極の製造方法において、
電極を導体の遠位端に結合する段階と、
前記電極の少なくとも１つの表面を、該少なくとも１つの表面が前記生物に接触しているときに電子の伝導と電子の空位の伝導のうちの一方にほぼ限定された方法で電気を伝導する材料で形成する段階と、
を含むことを特徴とする埋込み可能電極の製造方法。
【請求項２０】
生物に接触するようになっている埋込み可能電極の製造方法において、
電極を導体の遠位端に結合する段階と、
前記電極を、該電極が前記生物に接触しているときに電子の伝導または電子の空位の伝導にほぼ限定された方法で電気を伝導するよう構成する段階と、
を含むことを特徴とする埋込み可能電極の製造方法。
【国際調査報告】
2005505356.tif 000027
2005505356.tif 000028
2005505356.tif 000029